(57)【要約】【課題】工場組立により取扱性、組立性の良好な木製パネル及び落石防止柵を提供する。【解決手段】落石防止柵に用いる木製パネルであって、少なくとも２本の木製支柱１１，１１と、前記木製支柱１１，１１間に亘って横臥する複数の木製横架材１２と、からなり、前記木製支柱１１は木製横架材１２より突出する差込部１１ａを有することを特徴とする木製パネル１０、及びこの木製パネル１０を複数枚並べて、その背面側に設置したアンカー３に連結材３１を介して連結して落石防止柵１を構成することを特徴とする。【選択図】　　　図１
2004011388.tif 000002
【特許請求の範囲】
【請求項１】
落石防止柵に用いる木製パネルであって、少なくとも２本の木製支柱と、
前記木製支柱間に亘って横臥する複数の木製横架材と、からなり、
前記木製支柱は木製横架材より突出する差込部を有することを特徴とする、
木製パネル。
【請求項２】
前記木製横架材を、前記木製支柱と桟材で挟み、少なくとも最下端の木製横架材を木製支柱に固定する結合材を配置したことを特徴とする、請求項１に記載の木製パネル。
【請求項３】
前記木製支柱間に植栽棚を設けたことを特徴とする、請求項１又は２に記載の木製パネル。
【請求項４】
間隔をおいて複数設けた設置孔と、
前記設置孔に差込部を挿入する請求項１乃至３のいずれかに記載の木製パネルと、
前記木製パネルの木製支柱に配設するアンカーアングルと、
前記木製パネルの背面側に配置するアンカーと、
前記木製パネルのアンカーアングルと前記アンカーを接続する連結材と、からなる、
落石防止柵。
【請求項５】
前記木製パネルの背面に緩衝材を配設し、該緩衝材の上部を前記連結材に接続したことを特徴とする、請求項４に記載の落石防止柵。
【発明の詳細な説明】
【０００１】
【発明の属する技術分野】
本発明は、斜面等からの落石等を防止するために用いる木製パネル及び落石防止柵に関するものである。
【０００２】
【従来の技術】
斜面下の道路を保護する等を目的として構築する落石防止柵としては、例えば波型鋼板からなる落石受部と、トラス鋼材からなる支持部とで構成したものや、複数の支柱間にワイヤーロープを掛け渡したもの等が知られている。
【０００３】
【発明が解決しようとする課題】
前記した従来の落石防止柵にあっては、次のような問題点がある。
＜イ＞　現場で支持部及び落石受部を組み立てて落石防止柵を構築する必要があり、山間部等の現場の状況によっては組立作業が煩雑となる。
＜ロ＞　落石により損壊が生じた場合、支持部及び落石受部の交換、或いは断線したワイヤーロープ及び損壊した支柱を個別に撤去し、交換する必要が生じ、復旧作業が煩雑であり、且つ復旧完了までに長期間を必要とする。即ち、メンテナンスが煩雑であり維持コストも高価となる。
＜ハ＞　落石防止柵の背面（山側）に落石や土砂等が堆積した場合、作業員による人海戦術により落石土砂の撤去を行なう必要があり、作業員の危険が伴ううえ、作業性も悪い。
＜ニ＞　上記した従来の落石防止柵は、鋼製であるから人工的で山間部等の周囲の自然景観に合わない。
【０００４】
【発明の目的】
本発明は上記したような従来の問題を解決するためになされたもので、工場組立により取扱性、組立性の良好な木製パネル及び落石防止柵を提供することを目的とする。
また、損壊により部分的な交換のみで復旧を終えることのできる木製パネル及び落石防止柵を提供することを目的とする。
さらに、間伐材等の木材を有効に活用できる木製パネル及び落石防止柵を提供することを目的とする。
その上、設置後は直ちに周囲の景観に適合する木製パネル及び落石防止柵を提供することを目的とする。
本発明は、これらの目的の少なくとも一つを達成するものである。
【０００５】
【課題を解決するための手段】
上記のような目的を達成するために、本発明の木製パネルは、落石防止柵に用いる木製パネルであって、少なくとも２本の木製支柱と、前記木製支柱間に亘って横臥する複数の木製横架材と、からなり、前記木製支柱は木製横架材より突出する差込部を有することを特徴とするものである。
【０００６】
また、本発明の木製パネルは、前記木製横架材を、前記木製支柱と桟材で挟み、少なくとも最下端の木製横架材を木製支柱に固定する結合材を配置したことを特徴とするものである。
【０００７】
さらに、本発明の木製パネルは、前記木製支柱間に植栽棚を設けたことを特徴とする。
【０００８】
本発明の落石防止柵は、間隔をおいて複数設けた設置孔と、前記設置孔に差込部を挿入する請求項１乃至３のいずれかに記載の木製パネルと、前記木製パネルの木製支柱に配設するアンカーアングルと、前記木製パネルの背面側に配置するアンカーと、前記木製パネルのアンカーアングルと前記アンカーを接続する連結材と、からなることを特徴とする。
【０００９】
また、本発明の落石防止柵は、前記木製パネルの背面に緩衝材を配設し、該緩衝材の上部を前記連結材に接続したことを特徴とする。
【００１０】
【発明の実施の形態】
以下図１〜３を参照しながら本発明の実施の形態について説明する。
なお、図３は本発明の木製パネルを複数枚組み合わせて落石防止柵を構成した一例である。
【００１１】
＜イ＞木製パネル
本発明の木製パネル１０は、複数の木製支柱１１と、複数の木製横架材１２と、桟材１３と、結合材１４とより構成する。
本発明の木製パネル１０は、これら構成部材をプレキャスト製品として予め工場等で組み立てて製作できる。
木製パネル１０は、後述する落石防止柵１を構成する部材である。また、木製パネル１０は、その寸法を変更したり組み合わせを選択したりすることにより、例えばガードレールやベンチ等を構成することもできる。
以下、木製パネル１０の各構成部材について説明する。
【００１２】
＜ロ＞木製支柱
木製支柱１１は、木製パネル１０を自立させるため、現場に設けた設置孔２０に差し込む差込部１１ａを有し、後述する木製横架材１２を支持する部材である。
木製支柱１１は、木製パネル１０の両端に位置する少なくとも２本が必要であり、木製パネル１０の構造によっては、前記２本の木製支柱１１，１１の間にさらに配置することもできる。
木製支柱１１には、間伐材等の木材を使用できる。
【００１３】
＜ハ＞木製横架材
木製横架材１２は、前述した木製支柱１１，１１間に横臥する部材である。
木製横架材１２は、木製支柱１１の下端側に差込部１１ａを残すようにして、複数本を木製支柱１１に沿って横臥して積み重ねる。
所定位置の木製横架材１２は、後述する結合材１４を配設することで、木製支柱１１と桟材１３との間に固定できる。本例においては、最上端、中央、最下端に位置する木製横架材１２に結合材１４を配設して、木製支柱１１と桟材１３との間への連結を施している。
なお、木製横架材１２に設ける貫通孔は、木製パネル１０を組み立てる前に設けておいてもよいし、木製パネル１０を仮組みした後に木製支柱１１及び桟材１３と共に一度に設けてもよい。
木製横架材１２には、間伐材等の木材を使用できる。
【００１４】
＜ニ＞桟材
桟材１３は、木製支柱１１とで木製横架材１２を挟むように位置する部材である。
本例においては、木製横架材１２を固定する結合材１４のナット１４ｂの台座としての機能も有する。
桟材１３は、他の部材と同様に間伐材等を使用できる。また、山形鋼等の鋼材を使用してもよい。
【００１５】
＜ホ＞結合材
結合材１４は、木製支柱１１に木製横架材１２を固定するための治具である。
本例においては、木製横架材１２を木製支柱１１と桟材１３との間に結合材１４で以って固定している。詳しくは、木製支柱１１を貫通し、木製横架材１２を通り、桟材１３を貫通するだけの全長を有するボルト１４ａとナット１４ｂとで構成する結合材１４を用いて固定する。
この他にも、木製横架材１２を少なくとも木製支柱１１に固定することのできる治具及び手段であれば例えば接着等広く選択可能である。
【００１６】
＜ヘ＞その他の構成部材
以上説明した構成部材以外に、木製パネル１０には、例えば植栽棚４を設けることができる。
植栽棚４としては、例えば丸太等を用い、これを縦半分に割り、内側を削って植栽空間４０を形成したものを釘やボルト等の公知の結合具で以って木製支柱１１，１１間に取り付けて使用する。植栽棚４の植栽空間４０には、バーク堆肥等の公知の植生基材４１と植栽する植物４２を載置する。
丸太を利用した植栽棚４によれば、丸太に保水性があり、植物４２の生育環境が良好であると共に、木製パネル１０への取り付けも釘或いはボルト等の公知の留め具で簡単に行なえる。
また、木製パネル１０の木製横架材１２群の背面に公知網体５を被覆することもできる。
これにより、木製横架材１２同士の間に隙間が生じた場合でも、この隙間から小さな落石等が抜け落ちないようにできる。
【００１７】
以下図３〜５を参照しながら、前述した本発明の木製パネル１を用いた落石防止柵１の構築方法について説明する。
なお、本発明の落石防止柵１は、前述した複数の木製パネル１０と、間隔をおいて複数設けた設置孔２０と、前記木製パネル１０の木製支柱１１に配設するアンカーアングル３０と、前記木製パネル１０の背面側に配置するアンカー３と、前記木製パネル１０のアンカーアングル３０と前記アンカー３を接続する連結材３１とで構成する。
【００１８】
＜イ＞設置孔の構築
本例においては、木製パネル１０の木製支柱１１の差込部１１ａを挿入する設置孔２０を基礎ブロック２に形成し、この基礎ブロック２を、木製パネル１０を構成する木製支柱１１の差込部１１ａを収容可能な間隔をおいて現場に設置する。
基礎ブロック２は、コンクリート製等の基礎体である。
本例における基礎ブロック２は、隣接する木製パネル１０，１０の差込部１１ａ，１１ａを収容できるように２つの設置孔２０，２０を形成した一例である。
なお、設置孔２０は、直接、地中に設けることもできる。
【００１９】
＜ロ＞木製パネルの設置
現場に設置した基礎ブロック２の設置孔２０に、木製パネル１０の差込部１１ａを挿入して固定する。詳しくは、設置孔２０内へ例えば砂等の充填材を供給して設置孔２０の深さ（高さ）を調整し、ここへ木製パネル１０差込部１１ａを挿入し、設置孔２０の内周面と差込部１１ａの外周面との間に充填材を充填し、締め固めて固定する。
木製パネル１０は、独立したパネルであり、各々の木製支柱１１の差込部１１ａを適合する各々の設置孔２０に夫々挿入し、複数枚を一列に並べて配置する。
この様に、複数の木製パネル１０を組み合わせて落石防止柵１を構成することで、落石等により木製パネル１０が破損しても、その部分の木製パネル１０だけを新しい木製パネル１０に交換することで、短時間で落石防止柵１を復旧することができる。
なお、交換等に際し、木製パネル１０を設置孔２０から取り外す時には、前述した設置孔２０内の充填材（例えば砂）に水を注入し、締め固めた充填材を緩めることで取り外しが可能となる。
【００２０】
＜ハ＞アンカーの設置
続いて、隣接する木製パネル１０，１０の木製支柱１１，１１間にアンカーアングル３０を夫々設置する。
アンカーアングル３０には、連結材３１の一端を固定する。
連結材３１の他端は、木製パネル１０の背面側地山に打設したアンカー３に緊結する。
以上のように、木製パネル１０を複数枚繋げて配置し、アンカー３と連結材３１で繋ぐことで落石防止柵１を構成する。
【００２１】
アンカー３は、木製パネル１０の背面側の地山に打設固定する公知のアンカー部材である。
アンカー３は、落石衝突時における木製パネル１０の倒壊を防止する支持力を付与するため、後述するアンカーアングル３０及び連結材３１を介して木製パネル１０に連結する。
アンカーアングル３０は、後述する連結材３１の一端を留める部材である。
本例におけるアンカーアングル３０は、山字形を採用した一例であり、２つある凹部に夫々隣接する木製パネル１０，１０の木製支柱１１，１１を収容し、真中の突出部に後述する連結材３１を繋ぐ。
なお、アンカーアングル３０は、この形状に限らず、木製パネル１０に連結材３１を繋げる公知の形状を採用できる。
連結材３１は、木製パネル１０の木製支柱１１に配設したアンカーアングル３０とアンカー３との間を繋ぐ部材である。
連結材３１は、アンカーアングル３０に公知の８字掛けで繋ぐことで、例えば落石等により引張力が作用した際に、この連結部分で多少の伸長が可能である。この他にも、連結材３１に引張力が作用した際に摺動抵抗を発揮するもの等の公知の緩衝具等を連結材３１の途上に取り付けることで落石防止効果を高めることもできる。
連結材３１としては、ワイヤーロープ等の公知の引張材を使用できる。
【００２２】
＜ニ＞緩衝材の設置
また、上述した落石防止柵１の構成に、緩衝材６を加えることもできる。
緩衝材６は、木製パネル１０へ落石等が直接衝突することを回避するための部材であり、木製パネル１０の背面側に配置する。
緩衝材６は、木製パネル１０の背面を覆い、その上部を連結材３１に接続している。
緩衝材６としては、張設した鋼製等の公知の網体（図４参照）や、ウレタン等の発泡体や、樹脂等の弾性体等の衝撃吸収素材を採用することができる。
【００２３】
＜ホ＞落石防止柵のその他の構築手段
上述した落石防止柵１は、木製パネル１０の設置場所が平面である一例について説明しているが、傾斜面に落石防止柵１ａを構築することもできる。
この際、図５に示すように、木製パネル１０の設置位置を斜面に適合させ、高い落石防止効果を得るために、木製支柱１１の差込部１１ａを改良する。
即ち、木製支柱１１の差込部１１ａの代わりに、木製支柱１１の端部に設置孔２０への挿入部分を延長した形状を呈する支持部材１１ｂを別途取り付けて構成してもよいし、図示はしないが支柱部と同一部材を延長したものでもよい。
支持部材１１ｂは、一端を木製支柱１１の端部に取り付けでき、他端を設置孔２０に挿入できる部材であり、例えば鋼棒やＨ型鋼等の鋼材が使用できる。
なお、設置孔２０の形状は、支持部材１１ｂの挿入部分の形状に合わせて変更し、基礎ブロック２の形状も傾斜面への設置に合わせて変更できる。また、設置孔２０を予め設けることが難しい場所では、直接、支持部材１１ｂを斜面に打ち込んでから木製パネル１０を設置することもできる。
また、木製パネル１０を傾斜面に安定して設置するため、上述した落石防止柵１で説明した木製支柱１１の上端にアンカーアングル３０を配設し、連結材３１を介してアンカー３と連結するアンカー構造に加えて、木製支柱１１の下端側にも同様のアンカー構造を設けるとよい。即ち、木製支柱１１の下端側にアンカーアングル３２を配設し、連結材３３を介してアンカー３４と連結する。
これにより、木製支柱１１の上下端をアンカー支持できるので、木製パネル１０の設置安定性が向上する。
【００２４】
【発明の効果】
本発明の木製パネル及び落石防止柵は、以上説明したようになるから次のような効果を得ることができる。
＜イ＞　工場生産の木製パネルを現場に搬入し、木製パネルを立て込むだけで簡単に施工ができ、施工期間の短縮が図れる。
＜ロ＞　木製パネルを用いた落石防止柵は、落石等により損壊した際、損壊した１ピースの木製パネルを取り替えるだけで復旧作業を完了できるから、メンテナンスが容易で復旧を短期に行なえる。また、メンテナンスが経済的である。
＜ハ＞　木製パネルは、連結材を介してアンカーで留めているので、落石等の衝撃に強い。
＜ニ＞　落石防止柵の背面（山側）に落石や土砂等が堆積した場合、木製パネルを外して、堆積した落石や土砂等の除去作業を行なえる。
＜ホ＞　落石防止柵を構成する木製パネルの背面（山側）に網体を張り付けた場合は、木製横架材間を抜けるような小さな落石も防止することができる。
＜ヘ＞　木製パネルを使用して落石防止柵を構成することで、設置後は直ちに周囲の景観に適合するから、自然景観を損ねず維持できる。
【図面の簡単な説明】
【図１】本発明の木製パネルの斜視図
【図２】木製パネルへの構成部材の追加例に係る説明図
【図３】本発明の落石防止柵の説明図
【図４】本発明の落石防止柵の断面図
【図５】落石防止柵のその他の構築説明図
【符号の説明】
１　・・・落石防止柵
１０・・・木製パネル
１１・・・木製支柱
１１ａ・・差込部
１２・・・木製横架材
１３・・・桟材
１４・・・結合材
２　・・・基礎ブロック
２０・・・設置孔
３　・・・アンカー
３１・・・連結材
【図１】
2004011388.tif 000003
【図２】
2004011388.tif 000004
【図３】
2004011388.tif 000005
【図４】
2004011388.tif 000006
【図５】
2004011388.tif 000007